(57)【特許請求の範囲】
【請求項１】
第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材と前記第２部材とを接続する際、前記第１の凸部を前記第２の凸部に案内する案内部を有し、
前記案内部は、前記第２部材に設けられた１対の壁部であり、前記第１部材と前記第２部材とを接続する際、前記第１の凸部は、前記１対の壁部の間に配置されることを特徴とする医療用コネクタ。
【請求項２】
第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１の凸部は、前記第１部材と前記第２部材とが接続された状態で、前記第２部材側に第１の傾斜面を有し、
前記第１部材と前記第２部材とを接続する際、前記第２の凸部は、前記第１の凸部に対して前記第１の傾斜面に沿って移動し、前記第１の凸部を乗り越えることを特徴とする医療用コネクタ。
【請求項３】
前記第１部材と前記第２部材とを接続する際、前記第１の凸部を前記第２の凸部に案内する案内部を有する請求項２に記載の医療用コネクタ。
【請求項４】
前記案内部は、前記第２部材に設けられた１対の壁部であり、前記第１部材と前記第２部材とを接続する際、前記第１の凸部は、前記１対の壁部の間に配置される請求項３に記載の医療用コネクタ。
【請求項５】
前記第１部材から前記第２部材を取り外す際、前記第１部材に対して前記第２部材が、前記第１の凸部と前記第２の凸部との係合が解除された位置からさらに回動することを阻止する回動阻止部を有する請求項１ないし４のいずれか１項に記載の医療用コネクタ。
【請求項６】
第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材から前記第２部材を取り外す際、前記第１部材に対して前記第２部材が、前記第１の凸部と前記第２の凸部との係合が解除された位置からさらに回動することを阻止する回動阻止部を有することを特徴とする医療用コネクタ。
【請求項７】
前記回動阻止部は、前記第２部材に設けられ、前記第１の凸部に当接する当接部である請求項５または６に記載の医療用コネクタ。
【請求項８】
前記第２の凸部は、前記第１部材と前記第２部材とが接続された状態で、前記第１部材側に第２の傾斜面を有し、
前記第１部材と前記第２部材とを接続する際、前記第１の凸部は、前記第２の凸部に対して前記第２の傾斜面に沿って移動し、前記第２の凸部を乗り越える請求項１ないし７のいずれか１項に記載の医療用コネクタ。
【請求項９】
第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材と着脱可能に接続される第３のコネクタまたは第３のキャップで構成される第３部材を有し、
前記第１部材は、第１のネジを有し、
前記第３部材は、前記第１の凸部に係合し得る第３の凸部および前記第１のネジに螺合し得る第２のネジを有し、
前記第１部材と前記第３部材とを接続する際、前記第１部材に対して前記第３部材を前記中心軸の回りに回動させると、前記第１のネジと前記第２のネジとが螺合し、前記第１の凸部が前記第３の凸部を乗り越え、前記第１部材から前記第３部材を取り外す際、前記第１部材に対して前記第３部材を前記中心軸の回りに前記接続の際と反対方向に回動させると、前記第１の凸部が前記第３の凸部を乗り越え、前記第１のネジと前記第２のネジとの螺合が解除され、
前記第３の凸部は、前記第３部材の軸方向に延在するリブであることを特徴とする医療用コネクタ。
【発明の詳細な説明】
【技術分野】
【０００１】
本発明は、医療用コネクタに関するものである。
【背景技術】
【０００２】
近年、腹膜透析による治療法は、人工腎臓による透析法に比し、装置、器具が小型で簡易であり、治療費も安いこと、腹膜癒着の防止が可能となったこと、患者の負担が少ないこと等の理由から、注目されている。
【０００３】
この腹膜透析法のうち、特に連続的携帯式腹膜透析法（continuous ambulatory peritoneal dialysis）は、患者自身が自宅や職場で透析液の容器（バッグ）の交換を行うことができるため、社会復帰がし易く、大いに注目されている。
【０００４】
このＣＡＰＤは、患者の腹腔内にカテーテルチューブ（腹膜カテーテル）を留置し、このカテーテルチューブの体外端にトランスファーチューブを接続し、これに透析液の入った透析液バッグ（注液バッグ）のバッグチューブを接続し、各チューブを通じてバッグ内の透析液を腹腔内に注液し、所定時間透析を行った後、腹腔内の透析液排液を前記各チューブを通じて、排液バッグ内に回収するものである。なお、各チューブ同士の接続は、両チューブの端部にそれぞれ装着された雄コネクタと雌コネクタの嵌合により行われる。
【０００５】
このような雄コネクタと雌コネクタとを有する腹膜透析用コネクタとしては、例えば、特許文献１に記載されたものが知られている。この腹膜透析用コネクタでは、雄コネクタ（患者側コネクタ）と雌コネクタ（回路側コネクタ）とを接続する際、雄コネクタの雄ネジと雌コネクタの雌ネジとを螺合する。また、使用後は、雄コネクタにキャップが装着され、そのキャップを装着する際は、雄コネクタの雄ネジとキャップの雌ネジとを螺合する。
【０００６】
しかしながら、このような腹膜透析用コネクタでは、雄コネクタと雌コネクタとを接続する際、液密性を保ちつつ、雄コネクタの雄ネジと雌コネクタの雌ネジとを螺合する必要があり、強い力を必要とし、また、どの程度まで締め付けてよいのかが判らず、強く締め過ぎて手が痛い等、接続作業が困難であった。キャップを装着する際も同様である。
【先行技術文献】
【特許文献】
【０００７】
【特許文献１】特開２００８−４３５６２号公報
【発明の概要】
【発明が解決しようとする課題】
【０００８】
本発明の目的は、第１部材と第２部材とを容易に接続することができる医療用コネクタを提供することにある。
【課題を解決するための手段】
【０００９】
このような目的は、下記（１）〜（９）の本発明により達成される。
（１）  第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材と前記第２部材とを接続する際、前記第１の凸部を前記第２の凸部に案内する案内部を有し、
前記案内部は、前記第２部材に設けられた１対の壁部であり、前記第１部材と前記第２部材とを接続する際、前記第１の凸部は、前記１対の壁部の間に配置されることを特徴とする医療用コネクタ。
（２）  第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１の凸部は、前記第１部材と前記第２部材とが接続された状態で、前記第２部材側に第１の傾斜面を有し、
前記第１部材と前記第２部材とを接続する際、前記第２の凸部は、前記第１の凸部に対して前記第１の傾斜面に沿って移動し、前記第１の凸部を乗り越えることを特徴とする医療用コネクタ。
【００１０】
（３）  前記第１部材と前記第２部材とを接続する際、前記第１の凸部を前記第２の凸部に案内する案内部を有する上記（２）に記載の医療用コネクタ。
【００１１】
（４）  前記案内部は、前記第２部材に設けられた１対の壁部であり、前記第１部材と前記第２部材とを接続する際、前記第１の凸部は、前記１対の壁部の間に配置される上記（３）に記載の医療用コネクタ。
【００１２】
（５）  前記第１部材から前記第２部材を取り外す際、前記第１部材に対して前記第２部材が、前記第１の凸部と前記第２の凸部との係合が解除された位置からさらに回動することを阻止する回動阻止部を有する上記（１）ないし（４）のいずれかに記載の医療用コネクタ。
（６）  第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材から前記第２部材を取り外す際、前記第１部材に対して前記第２部材が、前記第１の凸部と前記第２の凸部との係合が解除された位置からさらに回動することを阻止する回動阻止部を有することを特徴とする医療用コネクタ。
【００１３】
（７）  前記回動阻止部は、前記第２部材に設けられ、前記第１の凸部に当接する当接部である上記（５）または（６）に記載の医療用コネクタ。
【００１５】
（８）  前記第２の凸部は、前記第１部材と前記第２部材とが接続された状態で、前記第１部材側に第２の傾斜面を有し、
前記第１部材と前記第２部材とを接続する際、前記第１の凸部は、前記第２の凸部に対して前記第２の傾斜面に沿って移動し、前記第２の凸部を乗り越える上記（１）ないし（７）のいずれかに記載の医療用コネクタ。
【００１６】
（９）  第１のコネクタで構成される第１部材と、
前記第１部材と着脱可能に接続される第２のコネクタまたは第２のキャップで構成される第２部材とを有し、
前記第１部材は、第１の凸部を有し、
前記第２部材は、前記第１の凸部に係合し得る第２の凸部を有し、
前記第１部材と前記第２部材とを接続する際、前記第１部材に対して前記第２部材を前記第１部材の中心軸の方向に移動させると、前記第１の凸部と前記第２の凸部とが係合し、前記第１部材から前記第２部材を取り外す際、前記第１部材に対して前記第２部材を前記中心軸の回りに所定量回動させると、前記第１の凸部と前記第２の凸部との係合が解除され、
前記第１部材と着脱可能に接続される第３のコネクタまたは第３のキャップで構成される第３部材を有し、
前記第１部材は、第１のネジを有し、
前記第３部材は、前記第１の凸部に係合し得る第３の凸部および前記第１のネジに螺合し得る第２のネジを有し、
前記第１部材と前記第３部材とを接続する際、前記第１部材に対して前記第３部材を前記中心軸の回りに回動させると、前記第１のネジと前記第２のネジとが螺合し、前記第１の凸部が前記第３の凸部を乗り越え、前記第１部材から前記第３部材を取り外す際、前記第１部材に対して前記第３部材を前記中心軸の回りに前記接続の際と反対方向に回動させると、前記第１の凸部が前記第３の凸部を乗り越え、前記第１のネジと前記第２のネジとの螺合が解除され、
前記第３の凸部は、前記第３部材の軸方向に延在するリブであることを特徴とする医療用コネクタ。
【発明の効果】
【００１８】
本発明によれば、第１部材に対して第２部材を前記第１部材の中心軸の方向に移動させることで、第１部材の第１の凸部と第２部材の第２の凸部とが係合して、第１部材と第２部材とが接続されるので、その接続作業を容易かつ迅速に行うことができる。
【００１９】
また、第１部材から第２部材を取り外す際、すなわち、第１部材と第２部材との接続を解除する際は、第１部材に対して第２部材を前記第１部材の中心軸の回りに所定量回動させると、第１の凸部と第２の凸部との係合が解除されるので、その取り外し作業を容易かつ迅速に行うことができる。
【図面の簡単な説明】
【００２０】
【図１】本発明の医療用コネクタを腹膜透析セットのコネクタに適用した場合の第１実施形態を示す概略図である。
【図２】図１に示す医療用コネクタの斜視図である。
【図３】図１に示す医療用コネクタの縦断面図（図２中のＡ−Ａ線断面図）である。
【図４】図１に示す医療用コネクタの横断面図（図３中のＢ−Ｂ線断面図）である。
【図５】図１に示す医療用コネクタの第１のコネクタの斜視図である。
【図６】図１に示す医療用コネクタの第１のコネクタの側面図である。
【図７】図１に示す医療用コネクタの第１のコネクタの縦断面図（図５中のＣ−Ｃ線断面図）である。
【図８】図１に示す医療用コネクタの第１のコネクタの縦断面図（図５中のＤ−Ｄ線断面図）である。
【図９】図１に示す医療用コネクタのキャップの斜視図である。
【図１０】図１に示す医療用コネクタのキャップの側面図である。
【図１１】図１に示す医療用コネクタのキャップの底面図である。
【図１２】図１に示す医療用コネクタのキャップの縦断面図（図１０中のＥ−Ｅ線断面図）である。
【図１３】図１に示す医療用コネクタのキャップの横断面図（図１０中のＦ−Ｆ線断面図）である。
【図１４】図１に示す医療用コネクタのキャップの横断面図（図１０中のＧ−Ｇ線断面図）である。
【図１５】図１に示す医療用コネクタの縦断面図である。
【図１６】図１に示す医療用コネクタの第２のコネクタの縦断面図である。
【図１７】本発明の医療用コネクタの第２実施形態を示す縦断面図である。
【図１８】図１７に示す医療用コネクタの第１のコネクタの斜視図である。
【図１９】図１７に示す医療用コネクタのキャップの底面図である。
【図２０】図１７に示す医療用コネクタのキャップの縦断面図である。
【図２１】本発明の医療用コネクタの第２実施形態を示す縦断面図である。
【図２２】図２１に示す本発明の医療用コネクタの第２のコネクタの縦断面図である。
【発明を実施するための形態】
【００２１】
以下、本発明の医療用コネクタを添付図面に示す実施形態に基づいて詳細に説明する。
なお、本発明の医療用コネクタは、医療用の各種のコネクタに適用することができるが、以下の実施形態では、本発明の医療用コネクタを腹膜透析セットのコネクタに適用した場合について説明する。
【００２２】
＜第１実施形態＞
図１は、本発明の医療用コネクタを腹膜透析セットのコネクタに適用した場合の第１実施形態を示す概略図である。図２は、図１に示す医療用コネクタの斜視図である。図３は、図１に示す医療用コネクタの縦断面図（図２中のＡ−Ａ線断面図）である。図４は、図１に示す医療用コネクタの横断面図（図３中のＢ−Ｂ線断面図）である。図５は、図１に示す医療用コネクタの第１のコネクタの斜視図である。図６は、図１に示す医療用コネクタの第１のコネクタの側面図である。図７は、図１に示す医療用コネクタの第１のコネクタの縦断面図（図５中のＣ−Ｃ線断面図）である。図８は、図１に示す医療用コネクタの第１のコネクタの縦断面図（図５中のＤ−Ｄ線断面図）である。図９は、図１に示す医療用コネクタのキャップの斜視図である。図１０は、図１に示す医療用コネクタのキャップの側面図である。図１１は、図１に示す医療用コネクタのキャップの底面図である。図１２は、図１に示す医療用コネクタのキャップの縦断面図（図１０中のＥ−Ｅ線断面図）である。図１３は、図１に示す医療用コネクタのキャップの横断面図（図１０中のＦ−Ｆ線断面図）である。図１４は、図１に示す医療用コネクタのキャップの横断面図（図１０中のＧ−Ｇ線断面図）である。図１５は、図１に示す医療用コネクタの縦断面図である。図１６は、図１に示す医療用コネクタの第２のコネクタの縦断面図である。
【００２３】
なお、以下では、説明の都合上、図２、図３、図５〜図１０、図１２、図１５および図１６中右側を「右」または「バッグ側」、左側を「左」または「患者側」と言う。また、図２〜図１６中上側を「上」または「上方」、下側を「下」または「下方」と言う。
【００２４】
また、図３および図１５に図示されている封止部材は、他の図では、その図示は省略されている。
【００２５】
また、本明細書では、「Ａに対してＢを変位」とは、ＡとＢとを相対的に変位させることであり、例えば、Ａのみが変位してもよく、また、Ｂのみが変位してもよく、また、ＡおよびＢが変位してもよい。また、前記変位とは、例えば、移動、回動、回転等を上位概念で示したものである。
【００２６】
図１に示す腹膜透析セット１は、腹膜透析法のうち、特に連続的携帯式腹膜透析法（continuous ambulatory peritoneal dialysis）に好適に用いることができるもの、すなわち、腹膜透析を行うに際し、患者の腹膜内（腹腔内）に透析液を注入し、その後、透析液の排液を回収するものである。
【００２７】
腹膜透析セット１は、透析液が充填された透析液バッグ４と、透析液バッグ４に接続されたバッグ側チューブ１１と、透析液の排液（以下単に「排液」という）を回収する排液バッグ（図示しない）と、その排液バッグに接続されたバッグ側チューブ（図示しない）と、患者の腹膜内に留置されたカテーテル（図示しない）に接続されたトランスファーチューブ（患者側チューブ）１８と、バッグ側チューブ１１とトランスファーチューブ１８とを着脱可能に接続するとともに排液バッグに接続されたバッグ側チューブとトランスファーチューブ１８とを着脱可能に接続する医療用コネクタ２とを有している。なお、バッグ側チューブ１１とトランスファーチューブ１８との接続と、排液バッグに接続されたバッグ側チューブとトランスファーチューブ１８との接続とは、選択的になされる。
【００２８】
また、医療用コネクタ２については、後に詳述するが、医療用コネクタ２は、コネクタ５、６およびキャップ７を有している。そして、バッグ側チューブ１１と、排液バッグに接続されたバッグ側チューブには、それぞれ、コネクタ６が接続されており、また、トランスファーチューブ１８には、コネクタ５が接続されており、前記バッグ側チューブ１１とトランスファーチューブ１８との接続は、医療用コネクタ２のうちのコネクタ５および６によりなされ、前記排液バッグに接続されたバッグ側チューブとトランスファーチューブ１８との接続は、医療用コネクタ２のうちのコネクタ５および６によりなされる。なお、バッグ側チューブ１１に接続されたコネクタ６と、排液バッグに接続されたバッグ側チューブに接続されたコネクタ６とは、同様であるので、以下では、代表的に、バッグ側チューブ１１に接続されたコネクタ６について説明する。
【００２９】
透析液バッグ４は、軟質ポリ塩化ビニルのような可撓性樹脂製のシート材を袋状に成形してなるものである。なお、必要に応じて、内部（内腔）に隔壁４ａを設けた複室容器としてもよい。この透析液バッグ４は、バッグ側チューブ１１が接続されている側を鉛直方向下側にして、図示しないハンガーに吊り下げられている。また、排液バッグは、軟質ポリ塩化ビニルのような可撓性樹脂製のシート材を袋状に成形してなるものである。
【００３０】
バッグ側チューブ１１は、その一端が透析液バッグ４に接続されており、当該透析液バッグ４に連通し、その他端がコネクタ６に接続されており、コネクタ６に連通している。
【００３１】
なお、バッグ側チューブ１１は、可撓性や柔軟性を有するものであるのが好ましく、その構成材料としては、例えば、ポリ塩化ビニル，ポリエチレン，ポリプロピレン，ＥＶＡのようなポリオレフィン系樹脂、ＰＥＴ，ＰＢＴのようなポリエステル系樹脂、ポリウレタン、ポリアミド、シリコーン、ポリエステルエラストマー、ポリアミドエラストマー、スチレン−ブタジエン−スチレン共重合体等の熱可塑性樹脂、あるいはこれらのうちの２以上を適宜組み合わせた樹脂等が挙げられる。
【００３２】
トランスファーチューブ１８は、その一端がコネクタ５に接続されており、コネクタ５に連通している。
【００３３】
このトランスファーチューブ１８には、その途中を着脱可能に接続するコネクタ１７が設置されている。このコネクタ１７は、その着脱時にコネクタ１７内部の流路を無菌的に保持し得る構成（例えば２重構造）となっている。
【００３４】
また、トランスファーチューブ１８のコネクタ１７よりも医療用コネクタ２側には、トランスファーチューブ１８内の流路を開閉するローラクランプ１６が設置されている。
【００３５】
トランスファーチューブ１８の構成材料としては、特に限定されないが、例えば、バッグ側チューブ１１の説明で挙げた構成材料と同様のものを用いることできる。
【００３６】
図１〜図１６に示すように、医療用コネクタ２は、トランスファーチューブ１８に接続された第１部材であるコネクタ（第１のコネクタ）５と、バッグ側チューブ１１に接続された第２部材であるコネクタ（第２のコネクタ）６と、排液バッグに接続されたバッグ側チューブに接続されたコネクタ（図示しない）（このコネクタは、コネクタ６と同様のものであり、前述したように、その説明は省略する）と、第２部材であるキャップ（第１のキャップ）７とを備えている。コネクタ６は、コネクタ５に、着脱可能に接続され、同様に、キャップ７は、コネクタ５に、着脱可能に装着される。なお、各部材や各部の雄雌の関係は、本実施形態では、コネクタ５が雄、コネクタ６およびキャップ７が雌である。
【００３７】
コネクタ５とコネクタ６とが接続された状態（図１５に示す状態）では、コネクタ５とコネクタ６、すなわち、医療用コネクタ２を介して、液体の流通（バッグ側から患者側への透析液の流通、または、患者側からバッグ側への排液の流通）が可能となる。
【００３８】
図５〜図８に示すように、コネクタ５は、その全体形状は、筒状をなしている。このコネクタ５は、左側に設けられ、トランスファーチューブ１８に接続される管状をなす接続部５１と、右側に設けられ、管状をなす内側管状部５２と、内側管状部５２の外周側に設けられ、管状をなす外側管状部５３と、コネクタ５の中心軸Ｏ１の方向の中央部に設けられ、最も外径が大きい大径部５５とを有している。
【００３９】
内側管状部５２の外周部には、内側管状部５２の外径が右側に向って漸減することで、テーパ面が形成されている。なお、この内側管状部５２は、図面ではその傾斜角度が小さく図示されているので、テーパ面になっていないようにも見えるが、テーパ面となっているものである。このテーパ面の作用は、後述するキャップ７のテーパ面の説明の際に行う。
【００４０】
なお、内側管状部５２の外周部はテーパ面とせずに中心軸Ｏ１に平行な面にしてもよい。この場合は、後述する第２実施形態のように、キャップ７、コネクタ６に、Ｏリングである封止部材３２を設置することが好ましい（図１７、図２１参照）。この封止部材３２により、その部位において、コネクタ５とキャップ７との間、コネクタ５とコネクタ６との間が液密に封止される。
【００４１】
また、外側管状部５３は、内側管状部５２よりも右側に突出している。この外側管状部５３の右側の端部には、外側（図７中上側または下側）に向って突出する１対の凸部（第１の凸部）５４が設けられている。この１対の凸部５４は、コネクタ５の中心軸Ｏ１を介して対向するように、すなわち、１８０°間隔で配置されている。なお、各凸部５４は、同様であるので、以下では、代表的に一方の凸部５４について説明する。
【００４２】
凸部５４は、コネクタ５にキャップ７が装着された状態（図３に示す状態）で、その右側（キャップ７側）に、傾斜面（第１の傾斜面）５４１を有し、その左側（キャップ７と反対側）に、コネクタ５の中心軸Ｏ１に直交する平坦面（第１の平坦面）５４２を有している。傾斜面５４１は、凸部５４の図７中の上下方向の高さが右側に向って漸減することで、右側の高さが低くなるように傾斜している。なお、凸部５４の機能の説明は、後述するキャップ７の凸部の説明の際に行う。
【００４３】
また、大径部５５の外周部には、１対のマーカー５６が設けられている。この１対のマーカー５６は、コネクタ５の中心軸Ｏ１を介して対向するように、すなわち、１８０°間隔で配置されている。そして、各マーカー５６は、中心軸Ｏ１の方向から見たとき、中心軸Ｏ１に直交する直線上に、各マーカー５６と各凸部５４とが位置するように配置されている。また、各マーカー５６は、本実施形態では、突起で構成されている。これにより、目視のみでなく、手指で触れて、そのマーカー５６の位置を把握することができ、目の不自由な人でもそのマーカー５６の位置を知ることができる。なお、マーカー５６の機能の説明は、後述するキャップ７のマーカー７３の説明の際に行う。
【００４４】
また、大径部５５の右側には、周方向に沿って１周に亘って溝５７が形成されている。この溝５７には、Ｏリングである封止部材３１が設置される（図３参照）。この封止部材３１により、その部位において、コネクタ５とキャップ７との間が液密に封止される。
【００４５】
封止部材３１の構成材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、ポリエチレン、塩化ビニル樹脂のような比較的柔軟な樹脂材料等が挙げられ、これらのうちの１種または２種以上を混合して用いることができる。
【００４６】
また、コネクタ５、後述するコネクタ６およびキャップ７の構成材料としては、それぞれ、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリロニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）、エチレン−ビニルアルコール共重合体、ポリアリルスルホン、ポリエーテルスルホン、メタクリル−スチレン共重合体、ポリアリレート、スチレン−アクリロニトリル共重合体のような各種樹脂が挙げられるが、その中でも、成形が容易であるという点で、ポリプロピレン、環状ポリオレフィン、ポリエステル、ポリ−（４−メチルペンテン−１）のような樹脂が好ましい。そして、前記のうちの１種または２種以上を混合して用いることができる。
【００４７】
図９〜図１４に示すように、キャップ７は、その全体形状は、左側に開放する有底筒状をなしている。このキャップ７は、有底筒状をなす外側筒状部７０と、外側筒状部７０の内周側に設けられ、有底筒状をなす内側筒状部７１とを有している。また、外側筒状部７０の左側の端部の外周部には、その外側筒状部７０のうちで最も外径が大きい大径部７２が設けられている。また、外側筒状部７０の外周部には、その周方向沿って間欠的に配置された複数（例えば、４〜１２ヶ所）のリブ７０１が設けられている。これにより、操作時のキャップ７に対する手指の滑りを防止することができる。
【００４８】
内側筒状部７１は、キャップ７の中心軸Ｏ２の方向の中央部に配置されており、その内側筒状部７１の左側の端部は、外側筒状部７０の左側の端部よりも右側に配置されている。
【００４９】
また、内側筒状部７１の左側の内周部には、内側筒状部７１の内径が左側に向って漸増することで、テーパ面が形成されている。なお、この内側筒状部７１のテーパ面は、図面ではその傾斜角度が小さく図示されているので、テーパ面にはなっていないようにも見えるが、テーパ面となっているものである。コネクタ５にキャップ７が装着された状態では、内側筒状部７１内にコネクタ５の内側管状部５２が挿入され、内側筒状部７１と内側管状部５２とがテーパ嵌合する。これにより、内側筒状部７１と内側管状部５２との間が液密に封止される。
【００５０】
なお、前述したように、キャップ７に封止部材３２を設置する場合には、内側筒状部７１の内周面にテーパ面とせずに中心軸Ｏ２に平行な面にしてもよい。
【００５１】
また、外側筒状部７０の中心軸Ｏ２の方向の中央部の内周部には、内側（図１２中上側または下側）に向って、すなわち、中心軸Ｏ２に向って突出する１対の凸部（第２の凸部）７４が設けられている。この１対の凸部７４は、キャップ７の中心軸Ｏ２を介して対向するように、すなわち、１８０°間隔で配置されている。なお、各凸部７４は、同様であるので、以下では、代表的に、一方の凸部７４について説明する。
【００５２】
凸部７４は、コネクタ５にキャップ７が装着された状態で、その左側（コネクタ５側）に、傾斜面（第２の傾斜面）７４１を有し、その右側（コネクタ５と反対側）に、キャップ７の中心軸Ｏ２に直交する平坦面（第２の平坦面）７４２を有している。傾斜面７４１は、凸部７４の図１２中の上下方向の高さが左側に向って漸減することで、左側の高さが低くなるように傾斜している。
【００５３】
コネクタ５にキャップ７を装着する際は、コネクタ５に対してキャップ７を中心軸Ｏ１の方向に沿って、互いが接近する方向に移動させる。これにより、コネクタ５の凸部５４がキャップ７の凸部７４を乗り越え（キャップ７の凸部７４がコネクタ５の凸部５４を乗り越え）、凸部５４と凸部７４とが係合する。凸部５４が凸部７４を乗り越える際は、凸部５４の傾斜面５４１が凸部７４の傾斜面７４１に沿って円滑に移動し、凸部５４が凸部７４を容易に乗り越えることができる。また、凸部５４が凸部７４を乗り越えた後は、凸部５４の平坦面５４２が凸部７４の平坦面７４２に当接し、これにより、コネクタ５からのキャップ７の離脱が阻止され、コネクタ５にキャップ７が装着された状態が保持される。
【００５４】
また、外側筒状部７０の内周部には、コネクタ５にキャップ７を装着する際、凸部５４を凸部７４に案内する案内部を構成する１対の壁部７５１、７５２が設けられている。この１対の壁部７５１、７５２は、１つの凸部７４に対して、１組設けられているので、合計で、２組設けられている。なお、以下では、代表的に、一方の１対の壁部７５１、７５２について説明する。また、キャップ７に設けられ、１対の凸部５４に作用する後述する他の各部も、１対設けられているが、以下では、代表的に、その一方について説明する。
【００５５】
１対の壁部７５１、７５２は、中心軸Ｏ２の方向に延在する長手形状をなしており、凸部７４を介して対向するように配置されている。また、壁部７５１、７５２の間の間隔は、図１２中の左側の端部が最も広く、そこから右側に向って漸減し、最後は、一定になっている。なお、コネクタ５にキャップ７を装着する際は、中心軸Ｏ１、Ｏ２の方向から見て、凸部５４は、壁部７５１、７５２の間に配置されるが、壁部７５１、７５２の間の間隔は、その左側の端部、すなわち、入口側において広くなっているので、凸部５４を壁部７５１、７５２の間に容易かつ確実に配置することができる。
【００５６】
また、壁部７５１の中心軸Ｏ２の方向の長さは、壁部７５２よりも長い。すなわち、壁部７５２の図１２中の右側の端部の位置は、凸部７４の右側の端部の位置と一致し、一方、壁部７５１の右側の端部は、凸部７４の右側の端部よりもさらに右側に位置している。これにより、コネクタ５にキャップ７を装着された状態で、コネクタ５に対してキャップ７を中心軸Ｏ１の回りに、壁部７５２側に回動させることは可能であるが、壁部７５１側に回動させることは、凸部５４が壁部７５１に当接するので、不可能である。
【００５７】
また、外側筒状部７０の内周部の壁部７５２の図１２中の右側には、中心軸Ｏ２の方向に延在するリブ７５３が設けられている（図１２、図１４参照）。このリブ７５３の中心軸Ｏ２に直交する方向の高さは、壁部７５１の高さよりも低い。このリブ７５３により、コネクタ５にキャップ７を装着された状態で、不本意に、コネクタ５に対してキャップ７が中心軸Ｏ１の回りに壁部７５２側に回動することを防止することができる。すなわち、コネクタ５にキャップ７が装着された状態では、凸部５４が壁部７５１とリブ７５３との間に位置し、コネクタ５対してキャップ７が不本意に回動することが防止される。但し、リブ７５３高さが比較的低いので、所定の力を加えることで、コネクタ５に対してキャップ７を中心軸Ｏ１の回りに壁部７５２側に回動させることは可能である。
【００５８】
また、外側筒状部７０の内周部には、回動阻止部としての壁部７５４が設けられている。この壁部７５４は、壁部７５２およびリブ７５３から図１１中の時計回りの方向に所定距離離間した位置に配置されている。壁部７５４は、Ｌ字状をなしており、その長手方向は、中心軸Ｏ２の方向と一致している。
【００５９】
また、壁部７５４の図１１中の反時計回りの方向の直近は、中心軸Ｏ２の方向に貫通する孔７６が設けられている。この孔７６は、凸部５４が通過し得る大きさをなしている。
【００６０】
コネクタ５からキャップ７を取り外す際は、コネクタ５に対してキャップ７を中心軸Ｏ１の回りに壁部７５４側に所定量回動させるが、その際、凸部５４は、リブ７５３を乗り越え、壁部７５４に当接し、孔７６の位置で停止する。このようにして、コネクタ５に対してキャップ７が、凸部５４と凸部７４との係合が解除された位置、すなわち、凸部５４と孔７６とが一致している位置からさらに回動することが阻止される。
【００６１】
また、大径部７２の外周部には、１対のマーカー７３が設けられている。この１対のマーカー７３は、キャップ７の中心軸Ｏ２を介して対向するように、すなわち、１８０°間隔で配置されている。そして、各マーカー７３は、中心軸Ｏ２の方向から見たとき、中心軸Ｏ２に直交する直線上に、各マーカー７３と各凸部７４とが位置するように配置されている。また、各マーカー７３は、本実施形態では、突起で構成されている。これにより、目視のみでなく、手指で触れて、そのマーカー７３の位置を把握することができ、目の不自由な人でもそのマーカー７３の位置を知ることができる。なお、コネクタ５にキャップ７を装着する際は、コネクタ５のマーカー５６と、キャップ７のマーカー７３とを一致させることにより、コネクタ５の凸部５４と、キャップ７の凸部７４とが中心軸Ｏ１、Ｏ２の方向に一致するように並ぶ。
【００６２】
次に、コネクタ６について説明するが、キャップ７との相違点を中心に説明し、同様の事項については、キャップ７の各符号の最上位の数字を「７」から「６」に代えたものを付して、その説明を省略する。
【００６３】
図１５および図１６に示すように、コネクタ６は、その全体形状は、筒状をなしている。このコネクタ６は、左側に設けられ、有底筒状をなす外側筒状部７０と、左側でかつ外側筒状部７０の内周側に設けられ、有底筒状をなす内側筒状部７１と、右側に設けられ、バッグ側チューブ１１に接続される管状をなす接続部６９を有している。
【００６４】
また、コネクタ６の外周部には、その周方向沿って間欠的に配置された、複数（例えば、４〜１２ヶ所）のリブ６０１が設けられている（図１参照）。これにより、操作時のコネクタ６に対する手指の滑りを防止することができる。
【００６５】
次に、コネクタ５にキャップ７を着脱する際と、コネクタ５とコネクタ６とを接続およびその解除を行う際の手順および作用について説明する。なお、コネクタ５にキャップ７を着脱する際と、コネクタ５とコネクタ６とを接続およびその解除を行う際の手順および作用は、同様であるので、以下では、代表的に、コネクタ５にキャップ７を着脱する際の手順および作用について説明する。
【００６６】
コネクタ５にキャップ７を装着する際は、まず、コネクタ５のマーカー５６と、キャップ７のマーカー７３とを一致させる。これにより、コネクタ５の凸部５４と、キャップ７の凸部７４とが中心軸Ｏ１、Ｏ２の方向に一致するように並ぶ。また、中心軸Ｏ１の方向から見て、コネクタ５の凸部５４は、キャップ７の１対の壁部７５１、７５２の間に配置される。
【００６７】
次に、コネクタ５に対してキャップ７を中心軸Ｏ１の方向に沿って、互いが接近する方向に移動させる。この際、コネクタ５の凸部５４は、１対の壁部７５１、７５２に案内されて、キャップ７の凸部７４に向って移動する。そして、コネクタ５の凸部５４がキャップ７の凸部７４を乗り越え、凸部５４と凸部７４とが係合する。なお、凸部５４が凸部７４を乗り越える際は、凸部５４の傾斜面５４１が凸部７４の傾斜面７４１に沿って円滑に移動し、凸部５４が凸部７４を容易に乗り越えることができる。また、凸部５４が凸部７４を乗り越えた後は、凸部５４の平坦面５４２が凸部７４の平坦面７４２に当接し、これにより、コネクタ５からのキャップ７の離脱が阻止され、コネクタ５にキャップ７が装着された状態が保持される。また、凸部５４が凸部７４を乗り越える際は、操作者は、クリック感が得られ、また、「パチン」という音が発せられるので、コネクタ５にキャップ７が装着されたことを容易に把握することができる。
【００６８】
また、コネクタ５にキャップ７が装着された状態では、凸部５４が壁部７５１とリブ７５３との間に位置し、コネクタ５対してキャップ７が不本意に回動することが防止される。
【００６９】
また、コネクタ５にキャップ７が装着された状態では、内側筒状部７１内にコネクタ５の内側管状部５２が挿入され、内側筒状部７１と内側管状部５２とが嵌合する。この場合、内側筒状部７１の内周部および内側管状部５２の外周部には、それぞれ、テーパ面が設けられているので、内側筒状部７１と内側管状部５２とが強固に嵌合し、その内側筒状部７１と内側管状部５２との間が液密に封止される。
【００７０】
このように、この医療用コネクタ２では、コネクタ５に対してキャップ７を中心軸Ｏ１の方向に移動させるだけで、容易かつ確実に、コネクタ５にキャップ７を装着することができる。
【００７１】
また、コネクタ５からキャップ７を取り外す際は、まず、コネクタ５に対してキャップ７を中心軸Ｏ１の回りに所定量回動させる。これにより、凸部５４と凸部７４の位置が中心軸Ｏ１の方向に重ならないようにずれ、凸部５４と凸部７４との係合が解除される。
【００７２】
また、前記キャップ７を回動させる際は、コネクタ５の凸部５４は、キャップ７のリブ７５３を乗り越え、壁部７５４に当接し、孔７６の位置で停止する。このようにして、コネクタ５に対してキャップ７が、凸部５４と凸部７４との係合が解除された位置、すなわち、凸部５４と孔７６とが一致している位置からさらに回動することが阻止される。また、凸部５４がリブ７５３を乗り越える際は、操作者は、クリック感が得られ、また、「パチン」という音が発せられるので、凸部５４と凸部７４との係合が解除されたことを容易に把握することができる。
【００７３】
次に、コネクタ５に対してキャップ７を中心軸Ｏ１の方向に沿って、互いが離間する方向に移動させる。この際、コネクタ５の凸部５４は、壁部７５４に案内され、孔７６を通り、コネクタ５の外部に向って移動し、コネクタ５からキャップ７が取り外される。
【００７４】
このように、この医療用コネクタ２では、コネクタ５に対してキャップ７を中心軸Ｏ１の回りに所定量回動させ、その後、中心軸Ｏ１の方向に移動させるだけで、容易かつ確実に、コネクタ５からキャップ７を取り外すことができる。
【００７５】
以上説明したように、この医療用コネクタ２によれば、コネクタ５にキャップ７を装着（接続）する作業、コネクタ５からキャップ７を取り外す作業を容易かつ迅速に行うことができる。同様に、コネクタ５とコネクタ６とを接続する作業、コネクタ５からコネクタ６を取り外す作業を容易かつ迅速に行うことができる。
【００７６】
なお、マーカーは、本実施形態では、突起であるが、これに限定されず、例えば、凹部や、着色部等でもよい。
【００７７】
＜第２実施形態＞
図１７は、本発明の医療用コネクタの第２実施形態を示す縦断面図である。図１８は、図１７に示す医療用コネクタの第１のコネクタの斜視図である。図１９は、図１７に示す医療用コネクタのキャップの底面図である。図２０は、図１７に示す医療用コネクタのキャップの縦断面図である。図２１は、本発明の医療用コネクタの第２実施形態を示す縦断面図である。図２２は、図２１に示す本発明の医療用コネクタの第２のコネクタの縦断面図である。
【００７８】
なお、以下では、説明の都合上、図１７、図１８、図２０〜図２２中右側を「右」または「バッグ側」、左側を「左」または「患者側」、上側を「上」または「上方」、下側を「下」または「下方」と言う。
【００７９】
また、図１７および図２１に図示されている封止部材は、他の図では、その図示は省略されている。
【００８０】
以下、第２実施形態について、前述した第１実施形態との相違点を中心に説明し、同様の事項については、その説明を省略する。
【００８１】
図１７〜図２２に示すように、第２実施形態の医療用コネクタ２では、第１部材であるコネクタ（第１のコネクタ）５ａの構造が前記第１実施形態と異なり、また、医療用コネクタ２は、コネクタ６およびキャップ７の他に、さらに、第３部材として、コネクタ（第３のコネクタ）６ａおよびキャップ（第２のキャップ）７ａを備えている。すなわち、医療用コネクタ２では、コネクタ５ａに、コネクタ６とコネクタ６ａとのいずれも着脱可能に接続することができ、また、コネクタ５ａに、キャップ７とキャップ７ａとのいずれも着脱可能に接続することができるようになっている。なお、各部材や各部の雄雌の関係は、第１実施形態と同様に、コネクタ５ａが雄、コネクタ６ａおよびキャップ７ａが雌である。
【００８２】
まず、図１７および図１８に示すように、コネクタ５ａには、雄ネジ（第１のネジ）５８が設けられている他は、第１実施形態のコネクタ５と同様である。これにより、コネクタ５ａには、第１実施形態のコネクタ６およびキャップ７をそれぞれ着脱可能に接続することができる。
【００８３】
一方、図２１および図２２に示すように、コネクタ６ａには、前記雄ネジ５８に螺合し得る雌ネジ（第２のネジ）６７が設けられている。同様に、図１７および図２２に示すように、キャップ７ａには、前記雄ネジ５８に螺合し得る雌ネジ（第２のネジ）７７が設けられている。これにより、コネクタ５ａには、コネクタ６ａおよびキャップ７ａをそれぞれ着脱可能に接続することができる。なお、コネクタ５ａにキャップ７ａを装着する際は、雄ネジ５８と雌ネジ７７とを螺合させ、コネクタ５ａとコネクタ６ａとを接続する際は、雄ネジ５８と雌ネジ６７とを螺合させる。
【００８４】
また、図１７、図１９および図２０に示すように、キャップ７ａの外側筒状部７０の内周部には、リブ（第３の凸部）７５５が設けられている。このリブ７５５は、キャップ７ａの中心軸Ｏ２の方向に延在している。
【００８５】
コネクタ５ａにキャップ７ａを装着（接続）する際は、雄ネジ５８と雌ネジ７７とを螺合させるが、前記リブ７５５は、前記螺合が完了したとき、コネクタ５ａの凸部５４がリブ７５５を乗り越える位置に配置されている。
【００８６】
また、コネクタ５ａの内側管状部５２と、キャップ７ａの内側筒状部７１との間には、Ｏリングである封止部材３２が設置されている。この封止部材３２により、内側管状部５２と内側筒状部７１との間が液密に封止される。なお、封止部材３２は、キャップ７ａ側に設置されているが、これに限らず、コネクタ５ａ側に設置されていてもよい。
【００８７】
コネクタ５ａにキャップ７ａを装着する際は、コネクタ５ａに対してキャップ７ａを中心軸Ｏ１の回りに回動させる。これにより、雄ネジ５８と雌ネジ７７とが螺合してゆき、その螺合が完了する際、凸部５４がリブ７５５を乗り越える。この際、操作者は、クリック感が得られ、また、「パチン」という音が発せられるので、コネクタ５ａにキャップ７ａが装着されたことを容易に把握することができる。
【００８８】
また、コネクタ５ａからキャップ７ａを取り外す際は、コネクタ５ａに対してキャップ７ａを中心軸Ｏ１の回りに前記と反対方向に回動させる。これにより、凸部５４がリブ７５５を乗り越え、雄ネジ５８と雌ネジ７７との螺合が解除される。
【００８９】
また、コネクタ６ａについても前記キャップ７ａと同様にリブ（第３の凸部）６５５および封止部材３２が設けられている。なお、コネクタ５ａに、コネクタ６ａを接続する際および取り外し際の作用は、前記キャップ７ａの場合と同様であるので、その説明は、省略する。
【００９０】
また、コネクタ５ａに、コネクタ６、キャップ７を接続する際および取り外す際の作用は、第１実施形態と同様であるので、その説明は、省略する。
この医療用コネクタ２によれば、前述した第１実施形態と同様の効果が得られる。
【００９１】
以上、本発明の医療用コネクタを図示の実施形態に基づいて説明したが、本発明は、これに限定されるものではなく、各部は、同様の機能を発揮し得る任意の構成のものと置換することができる。また、任意の構成物が付加されていてもよい。
【００９２】
また、本発明は、前記各実施形態のうちの、任意の２以上の構成（特徴）を組み合わせたものであってもよい。
【００９３】
また、各部材や各部の雄雌の関係は、前記実施形態には限定されない。例えば、前記実施形態では、コネクタ５、５ａが雄、コネクタ６、６ａおよびキャップ７、７ａが雌であるが、本発明では、これに限らず、例えば、コネクタ５、５ａが雌、コネクタ６、６ａおよびキャップ７、７ａが雄であってもよい。同様に、ネジについても、雄雌の関係が前記実施形態と逆であってもよい。
【００９４】
また、前記第１実施形態では、医療用コネクタは、コネクタ５、６およびキャップ７で構成されているが、本発明では、これに限らず、例えば、コネクタ５および６で構成されるものを医療用コネクタとしてもよく、また、コネクタ５およびキャップ７で構成されるものを医療用コネクタとしてもよい。すなわち、医療用コネクタは、第１のコネクタで構成される第１部材と、前記第１部材と着脱可能に接続される第２のコネクタまたは第１のキャップで構成される第２部材とを有していればよい。
【００９５】
また、前記第２実施形態では、医療用コネクタは、コネクタ５、５ａ、コネクタ６、６ａおよびキャップ７、７ａで構成されているが、本発明では、これに限らず、例えば、コネクタ５、６および６ａで構成されるものを医療用コネクタとしてもよく、また、コネクタ５、キャップ７および７ａで構成されるものを医療用コネクタとしてもよい。すなわち、医療用コネクタは、第１のコネクタで構成される第１部材と、前記第１部材と着脱可能に接続される第２のコネクタまたは第１のキャップで構成される第２部材と、前記第１部材と着脱可能に接続される第３のコネクタまたは第２のキャップで構成される第３部材とを有していればよい。
【００９６】
また、前記実施形態では、腹膜透析セットは、腹膜透析法のうち、特に連続的携帯式腹膜透析法に用いることができるものであるが、本発明では、これに限らず、例えば、腹膜透析液を自動的に交換する療法（Automated Peritoneal Dialysis）にも用いることができる。
【００９７】
また、前記実施形態では、医療用コネクタとして、腹膜透析用のコネクタを例に挙げて説明したが、本発明では、これに限らず、他の用途に用いることが可能である。
【符号の説明】
【００９８】
１              腹膜透析セット
２              医療用コネクタ
３１、３２      封止部材
４              透析液バッグ（透析液容器）
４ａ            隔壁
５、５ａ        コネクタ
５１            接続部
５２            内側管状部
５３            外側管状部
５４            凸部
５４１          傾斜面
５４２          平坦面
５５            大径部
５６            マーカー
５７            溝
５８            雄ネジ
６、６ａ        コネクタ
６０            外側筒状部
６０１          リブ
６１            内側筒状部
６２            大径部
６３            マーカー
６５２          壁部
６５５          リブ
６７            雌ネジ
６９            接続部
７、７ａ        キャップ
７０            外側筒状部
７０１          リブ
７１            内側筒状部
７２            大径部
７３            マーカー
７４            凸部
７４１          傾斜面
７４２          平坦面
７５１、７５２、７５４  壁部
７５３、７５５  リブ
７６            孔
７７            雌ネジ
１１            バッグ側チューブ
１６            ローラクランプ
１７            コネクタ
１８            トランスファーチューブ（患者側チューブ）
Ｏ１、Ｏ２      中心軸
【図１】
0006329008.tif 000002
【図２】
0006329008.tif 000003
【図３】
0006329008.tif 000004
【図４】
0006329008.tif 000005
【図５】
0006329008.tif 000006
【図６】
0006329008.tif 000007
【図７】
0006329008.tif 000008
【図８】
0006329008.tif 000009
【図９】
0006329008.tif 000010
【図１０】
0006329008.tif 000011
【図１１】
0006329008.tif 000012
【図１２】
0006329008.tif 000013
【図１３】
0006329008.tif 000014
【図１４】
0006329008.tif 000015
【図１５】
0006329008.tif 000016
【図１６】
0006329008.tif 000017
【図１７】
0006329008.tif 000018
【図１８】
0006329008.tif 000019
【図１９】
0006329008.tif 000020
【図２０】
0006329008.tif 000021
【図２１】
0006329008.tif 000022
【図２２】
0006329008.tif 000023